(57)【要約】      （修正有）【課題】個人個人にジャストフィットし、簡単に装着出来、装着後は定位置からずれる事無く安定した装着感が保たれ、他人には気付かれにくく、顔面のたるみが全体的に引き上げられる、顔面たるみリフトアップ補助装置を提供する。【解決手段】装着者の頭部毛髪に止着して顔面のたるみをリフトアップする補助装置であって、後頭部中央頭髪に留める中央ヘアクリップ１１と、その両端に左右のもみあげ上部の毛髪を留める側面ヘアクリップ１２がリフトストラップ１３で連結され、伸縮性リフトストラップの牽引力により斜め上方向に引っ張られる。リフトストラップはその長さを調節出来るようにアジャスター１４を備えた。また必要に応じて、連結具１５にリフトストラップ１８を追加出来る。前記リフトストラップも凸ホックを、凹ホック２０ａ．２０ｂへ留める位置により長さ調整可能にした。【選択図】図３
0003217924.tif 000002
【実用新案登録請求の範囲】
【請求項１】
装着者の後頭部に装着し、装着者の顔のたるみを引き上げる顔面リフトアップ補助装置であって、後頭部中央頭髪に留める中央ヘアクリップ部と、この中央ヘアクリップ部両側に長さ調整機能アジャスターを備えたリフトストラップが連結され、左右のもみあげ上部の毛髪を留める側面クリップがその両端に配設されていることを特徴とする、顔面たるみリフトアップ補助装置。
【請求項２】
前記中央ヘアクリップ部から両側に連結する前記リフトストラップは、弾性を有する伸縮性のある素材である事を特徴とした、請求項１に記載の顔面たるみリフトアップ補助装置。
【請求項３】
前記リフトストラップ部には、その長さを調整し牽引力を調整出来る長さ調節機能アジャスターを備えたことを特徴とする、請求項１または２に記載の顔面たるみリフトアップ補助装置。
【請求項４】
前記中央ヘアクリップベース部両端に備付けた連結具に、端側に側面ヘアクリップを配設した追加ストラップをその長さを調節し、追加出来る事を特徴とする、請求項１、２、または３に記載の顔面たるみリフトアップ補助装置。
【考案の詳細な説明】
【技術分野】
【０００１】本考案は装着者の頭部毛髪に止着し、顔面のたるみを引き上げ、視覚的若返り効果を得る為の、顔面リフトアップ補助装置に関するものである。
【背景技術】
【０００２】人は加齢により皮膚の弛みや皺が生じ、老いた顔立ちへと変化するものであるが、多くの中高年女性にとってそれらは問題点である。【０００３】それらを解消する為の顔面皮膚を引き上げる矯正器具類が後述する特許文献に幾つか提案されている。【０００４】特許文献１に示された顔のしわ矯正具は、装着者の頭部の左右こめかみ部分に近い毛髪を挟持し該頭部の左右両側に取り外し可能に止着される左右一対のクリップと、該頭部の後頭部に沿って装着され、前記頭部の左右両側に止着された前記一対のクリップ同士を互いに後頭部側に引き寄せた状態で保持する紐とから構成され、前記左右一対のクリップはそれぞれ板バネである第１板バネ部材及び当該第１板バネ部材と一体化されている第２板バネ部材とからなり、前記第１板バネ部材は、第１板バネ部材の第一の本体部の基端と、第１板バネ部材の第二の本体部の基端とが直交し、正面視で略Ｌ字状になるように形成されている第１板バネ部材の本体部を備えており、前記第２板バネ部材は、第２板バネ部材の第一の本体部の基端と、第２板バネ部材の第二の本体部の基端とが直交し、正面視で略Ｌ字状になるように形成されている第２板バネ部材の本体部を備えており、前記第１板バネ部材の第一の本体部と、前記第２板バネ部材の第一の本体部とがそれぞれ左右方向に延び、前記第１板バネ部材の第二の本体部と、前記第２板バネ部材の第二の本体部とがそれぞれ当該左右方向に直交する方向に延びる状態で、前記第１板バネ部材の第二の本体部の先端の裏側面と前記第２板バネ部材の第一の本体部の先端の正面側面、前記第１板バネ部材の第一の本体部の先端の裏側面と前記第２板バネ部材の第二の本体部の先端の正面側面をそれぞれ接合することによって前記第１板バネ部材と前記第２板バネ部材とが一体化されており、前記第１板バネ部材は、前記第１板バネ部材の第一の本体部側を基端とし、先端が前記第１板バネ部材の第一の本体部から第２板バネ部材の第一の本体部側に向かって延びる複数本の櫛歯を更に備えており、当該櫛歯の先端部は、第２板バネ部材の第一の本体部から離れる正面側方向に向かって段差を設けて途中から折り曲げられ、クリップ部として構成され、前記第２板バネ部材の第一の本体部は、前記第１板バネ部材のクリップ部の正面側において前記第１板バネ部材のクリップ部を左右に横切る形で配設され、非クリップ状態では、前記第１板バネ部材の第一の本体部と、前記第２板バネ部材の第一の本体部とがそれぞれ裏面側方向に向かって膨出するように湾曲し、前記第１板バネ部材の櫛歯先端部のクリップ部裏側面と、前記第２板バネ部材の第一の本体部の正面側面との間が所定間隔離れた状態で対峙し、前記左右一対のクリップの前記裏面側方向に向かって膨出するように湾曲している前記第１板バネ部材の第一の本体部及び前記第２板バネ部材の第一の本体部の中央部の裏面側を装着者の頭に当て、前記第１板バネ部材の第二の本体部及び前記第２板バネ部材の第二の本体部を前記装着者の頭の方向に向かって押すことによりクリップ状態となり、前記第１板バネ部材の第一の本体部及び前記第２板バネ部材の第一の本体部の各中央部が正面側方向に向けて膨出するように反転変形し、前記第１板バネ部材の櫛歯先端部のクリップ部と前記第２板バネ部材の第一の本体部との間に前記装着者の毛髪がクリップされ、これによって前記左右一対のクリップが前記装着者の毛髪に止着されるようにしたものである。【０００５】特許文献２に示されたはフェイスアップデバイスは、頭頂部付近の毛髪に固定する中央ヘアクリップ部１と、この中央ヘアクリップ部１から放射状に配設する４個の補助ヘアクリップ部５と、中央ヘアクリップ部１と補助ヘアクリップ部５との間をそれぞれ独立して連結するストレッチ部材７とから構成され、中央ヘアクリップ部１を頭頂部付近の毛髪に固定し、補助ヘアクリップ部５をストレッチ部材７の弾性収縮力に抗してそれぞれ引っ張った状態で前頭部、後頭部、あるいは側頭部付近の毛髪に固定するようにしたものである。
【先行技術文献】
【特許文献】
【０００６】
【特許文献１】特許第４５３６７７２号
【特許文献２】特開２０１３−４２８４９号
【考案の概要】
【考案が解決しようとする課題】
【０００７】特許文献第１の技術開示においては板バネ部材の第一の本体部の基端と、第１板バネ部材の第二の本体部の基端とが直交し、正面視で略Ｌ字状になるように形成されている第１板バネ部材と、第２板バネ部材の第一の本体部の基端と、第２板バネ部材の第二の本体部の基端とが直交し、正面視で略Ｌ字状になるように形成されている第２板バネ部材とから構成されるクリップを用いて、装着者の頭部の左右こめかみ部分に近い毛髪を挟持し、左右一対のクリップ同士を紐を用いて互いに後頭部側に引き寄せるようにしたもので、目尻周辺のしわを目立たなくすることができる。【０００８】しかしながら、この特許文献１に係る顔のしわ矯正具において、頭部の左右のこめかみ部分に近い毛髪を、左右一対のクリップ体によって挟持し紐によってクリップ同士を互いに後頭部側に引き寄せるようにしたものであるから、その牽引力は横方向への引き寄せであり、目尻が横に引っ張られるに過ぎず、顔面全体、特に口角の下がり、頬のたるみ、顎から首にかけてのたるみなどを補整することはできない。【０００８】またこの特許文献１に係る顔のしわ矯正具において、上下２本の紐部が平行に配設された状態の左右一対のクリップで、こめかみ部分に近い毛髪を止着するものであり、後頭部には固定されておらず、当然の事ながら人の頭部はカーブしており動きによりその紐部が容易にずれたり摺り落ちたりする。【０００９】特許文献２の開示技術においては、中央ヘアクリップ部をコアとして、放射状に４個の補助ヘアクリップ部を配設してあるので、ストレッチ部材によって、前頭部、後頭部、あるいは側頭部付近の毛髪を頭頂部に向けて少しの牽引力によって引っ張り上げることができ、それに伴って目尻周辺部だけでなく、フェイス全体、特に口角周辺のしわやたるみ、顎から首にかけてのたるみなどを補整することができる。【００１０】しかしながらこの特許文献２に係るフェイスアップデバイスにおいては、頭部五つものヘアクリップを装着しているのが一目瞭然である。【００１０】また、この特許文献２に係るフェイスアップデバイスにおいては、中央ヘアクリップから放射状に配置された四つの補助クリップの間に連結されたストレッチ部材は、長さ調整が不可能であり、当然のことながら人の頭部の大きさは千差万別であり、個人個人にフィットするのは難しい。
【問題を解決するための手段】
【００１１】本考案の目的は、上記従来品の問題を解決し、個人個人にジャストフィットする様、長さ調節が可能で、簡単に装着出来、装着後は所定位置からずれ落ちること無く、引き寄せた状態を保持し顔面の全体的なたるみを引き上げ可能な、そして他人には装着している事を気付かれにくい、顔面たるみリフトアップ補助装着を提供することにある。
【００１２】上記目的を達成する為の本考案に係る、顔面たるみリフトアップ補助装置の構成を詳述すれば、請求項１に係る考案は、装着者の後頭部に装着し、装着者の顔のたるみを引き上げる顔面リフトアップ補助装置であって、後頭部中央頭髪に留める中央ヘアクリップ部と、この中央ヘアクリップ部両側に長さ調整機能アジャスターを備えたストレッチ性ストラップが連結され、左右のもみあげ上部の毛髪を留める補助クリップがそのストレッチ性ストレッチ両端に配設されていることを特徴とする。
【００１３】請求項２に係る考案は、前記中央ヘアクリップから両側に連結する前記ストラップは、弾性を有する伸縮性のある素材である事を特徴とする。
【００１４】請求項３に係る考案は、前記リフトストラップ部には、その長さを調節し牽引力を調整出来る長さ調節機能アジャスターを備えたことを特徴とする。
【００１５】請求項４に係る考案は、前記中央ヘアクリップベース部両端に備付けた連結具に、端側に側面ヘアクリップを配設追加ストラップを長さ調整して追加出来る事を特徴とする。
【考案の効果】
【００１６】本考案に係る顔面たるみリフトアップ補助装置によれば、高額でリスクの伴う美容医療行為に頼らず、個人個人にジャストフィットする長さに調節して簡単に装着出来、装着後は所定位置からずれ落ちること無く安定した装着感で使用出来る。中央ヘアクリップ部を中心として、リフトストラップ両端に配設された側面ヘアクリップで、左右もみあげ上部の毛髪を止着して、斜め上方向に皮膚が引き寄せられた状態が保持される事により、顔面が全体的に引き上げられ視覚的若返り効果が得られる。
【図面の簡単な説明】
【００１７】
【図１】本考案に係る、一実施形態を示す平面図である。
【図２】本考案に係る、一実施形態を示す底面図である。
【図３】本考案に係る、変形実施例におけるリフトストラップを追加した形態を示す底面図である。
【図４】本考案に係る、変形実施例における追加リフトストラップの拡大図である。
【図５】本考案に係る、ヘアクリップ部の拡大図である。
【図６】本考案に係る、装着状態の一例を示す後方斜視図である。
【考案を実施するための形態】
【００１８】本考案に係る顔面たるみリフトアップ補助装置を図面を基づき詳細に説明する。
【実施例１】
【００１９】図１は本考案に係る顔面たるみリフトアップ補助装置の一実施形態の平面図である。
図２は本考案に係る顔面リフトアップ補助装置の実施例１の底面図である。
図２において、符号１１は頭頂部付近毛髪を止着する中央クリップ。１２は、右および左のもみあげ上部毛髪を止着する側面クリップ。１３は、リフトストラップ。１４は、１３の長さ調整するためのアジャスター。１５は、１６と１７を連結し、１４のアジャスターを機能するための連結具。
図１において１６は、１１の土台ベース。１５を挟み縫製し、１１が縫い留められている。１７は、１２の土台ベース。１３と縫製により繋がれており、１２が縫い留められている。
図４において、１９は、追加リフトストラップに設けた凸ホック。２０ａ、２０ｂ、２０ｃは、追加ストラップ１８に設けた凹ホック。【００２０】図５は１１，１２のヘアクリップの拡大図である。図５において（ｄ）は、１１、１２の平面図である。図５において（ｅ）は、１１、１２の底面図である。ヘアクリップはバネ弾性を利用した、櫛歯を有する角型状ヘアクリップで、尚、このヘアクリップの構造自体は公知のウィッグ装着用クリップとほぼ同一であるので詳細な説明は省略する。【００２１】１１，１２のヘアクリップは、櫛歯の本数、形態にはこだわらず、所定位置の頭髪をしっかりと止着出来ればどの様な留め具であっても良いものとする。【００２２】符号１５はリングかんを用いたが、１６の中央ヘアクリップベース部と１３のリフトストラップ部が連結出来れば、その形はこだわらず、四角、三角、楕円型等でも良いものとする。【００２３】符号１３のリフトストラップは伸縮性を有するもので有れば、その素材は天然ゴム、合成ゴム、ビニール、ストレッチレース等、弾性伸縮性を有する素材で有れば良いものとする。またその各取付け方法は各パーツが正しく機能されれば縫製にこだわらない。１６と１７のクリップベースは正しく機能されれば、素材や各パーツとの取付け方法にはこだわらない。【００２４】本実施例１に係る顔面たるみリフトアップ補助装置を頭部に装着するには、図６（ｆ）を例に説明する。まず符号１１の中央ヘアクリップを装着者頭頂部付近の毛髪を挟持ししっかりと留める。
次に１２の側面ヘアクリップで左右のもみあげ上部の毛髪を挟持し留める。
さらにリフトストラップ部に備えたアジャスター１４で長さ調節し、その牽引力を装着者にジャストフィットする用調整する。【００２５】そうすると、前記１の中央ヘアクリップは、装着者の頭頂部付近でしっかりと止着され、１２側面ヘアクリップで装着者のもみあげ上部の毛髪を止着されたことにより、リフトストラップが斜め上方向へ牽引する。その牽引力は長さ調整したリフトストラップにより、個人個人にジャストフィットした付心地を得られる。その上で周囲の毛髪で装着具を隠す。【００２６】このように装着し、こめかみ上部の皮膚が斜め上方向に牽引されると、引き寄せられた状態で保持され、顔面全体的にたるみが引き上げられる。顔面たるみリフトアップ補助装着は装着者毛髪内側に装着されているので、上側の髪に隠れ、他人には気付かれにくい。
本実施例１に係る顔面たるみリフトアップ補助装置によれば、装置者の頬のたるみ、口角の下がり、フェイスラインのたるみが目立たなくなり、しかもその牽引力は個人個人にジャストフィットする様調整可能で、装着後はしっかりと固定され、動きによりずれたりすることがなく、引き寄せられた状態が保持される事により、顔面のたるみが全体的に引き上げられ、視覚的若返り効果が得られる。
【実施例２】
【００２７】本考案に係る顔面たるみリフトアップ補助装置を実施するための変形実施例を図面に基づき説明する。
図３は本考案に係る、顔面たるみリフトアップ補助装置の実施例２の底面図である。
実施例１との違いは前記中央ヘアクリップ部１１のベース１７の両側の連結具１５にリフトストラップ１８が追加されたことである。【００２８】図４は追加リフトストラップの拡大図である。追加リフトストラップ１８は、凸ホック１９、凹２０ａ、２０ｂ、２０ｃ、が設けており任意で取付け取り外しが可能である。【００２９】前記ホック１９は凸状、ホック２０ａ．２０ｂ．２０ｃは凹状であり、追加リフトストラップ１８を中央クリップベース両端の連結具１５に通し、凸ホック１９を、凹ホック２０ａ、もしくは２０ｂ、もしくは２０ｃに留め付け、リフトストラップ端に配設された側面クリップを任意のうなじ付近の毛髪に止着し、実施例１同様に使用する。追加リフトストラップ１３の長さは、凸ホック１９を位置の違う凹ホック２０ａ、もしくは２０ｂ、もしくは２０ｃに留める事でその長さを調節し、装着者個人個人への適合を可能にした。図６（ｇ）図面上、判り易い様、顔面たるみリフトアップ補助装着を装着している様子を示したが、実際は装着者毛髪内側に装着されているので、上側の髪に隠れ、他人には気付かれにくい。【００３０】追加のリフトストラップは、顔面たるみリフトアップ補助装置実施例１の仕様では物足りない装着者には特に便宜である。追加リフトストラップは必ずしも必要なものでなく、必要に応じて追加するものとする。
【産業上の利用可能性】
【００３１】本考案は、顔面たるみリフトアップに利用する。
【符号の説明】
【００３２】１、実施例１における、顔面たるみリフトアップ補助装置。
２、実施例２における、顔面たるみリフトアップ補助装置。
１１、中央ヘアクリップ
１２、側面ヘアクリップ
１３、リフトストラップ
１４、アジャスター
１５、連結具
１６、中央ヘアクリップベース
１７、側面ヘアクリップベース
１８、追加リフトストラップ
１９、凸ホック
２０、凹ホック（ａ、ｂ、ｃ）
２１、装着者
２２、装着者毛髪
【図１】
0003217924.tif 000003
【図２】
0003217924.tif 000004
【図３】
0003217924.tif 000005
【図４】
0003217924.tif 000006
【図５】
0003217924.tif 000007
【図６】
0003217924.tif 000008
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
装着者の後頭部に装着し、装着者の顔のたるみを引き上げる顔面リフトアップ補助装置であって、頭頂部付近毛髪を留める中央ヘアクリップ部と、この中央ヘアクリップ部両側に長さ調整機能アジャスターを備えたリフトストラップ部が連結され、左右のもみあげ上部の毛髪を留める側面クリップ部がそのリフトストラップ部両端に配設されていることを特徴とする、顔面たるみリフトアップ補助装置。
【請求項２】
前記中央ヘアクリップ部から両側に連結する前記リフトストラップ部は、弾性を有する伸縮性のある素材である事を特徴とした、請求項１に記載の顔面たるみリフトアップ補助装置。
【請求項３】
前記リフトストラップ部には、その長さを調節し牽引力を調整出来る長さ調節機能アジャスターを備えたことを特徴とする、請求項１または２に記載の顔面たるみリフトアップ補助装置。
【請求項４】
前記中央ヘアクリップ部両端に備付けた連結具に、端側に側面ヘアクリップ部を配設した追加ストラップ部をその長さを調節し追加出来る事を特徴とする、請求項１、２、または３に記載の顔面たるみリフトアップ補助装置。
【手続補正２】
【補正対象書類名】明細書
【補正対象項目名】全文
【補正方法】変更
【補正の内容】
【考案の詳細な説明】
【技術分野】
【０００１】本考案は装着者の頭部毛髪に止着し、顔面皮膚のたるみを引き上げ、視覚的若返り効果を得る為の、顔面リフトアップ補助装置に関するものである。
【背景技術】
【０００２】人は加齢により皮膚の弛みや皺が生じ老いた顔立ちへと変化するものであるが、多くの中高年女性にとってそれらは問題点である。【０００３】それらを解消する為の顔面皮膚を引き上げる矯正器具類が後述する特許文献に幾つか提案されている。【０００４】特許文献１に示された顔のしわ矯正具は、装着者の頭部の左右こめかみ部分に近い毛髪を挟持し該頭部の左右両側に取り外し可能に止着される左右一対のクリップと、該頭部の後頭部に沿って装着され、前記頭部の左右両側に止着された前記一対のクリップ同士を互いに後頭部側に引き寄せた状態で保持する紐とから構成され、前記左右一対のクリップはそれぞれ板バネである第１板バネ部材及び当該第１板バネ部材と一体化されている第２板バネ部材とからなり、前記第１板バネ部材は、第１板バネ部材の第一の本体部の基端と、第１板バネ部材の第二の本体部の基端とが直交し、正面視で略Ｌ字状になるように形成されている第１板バネ部材の本体部を備えており、前記第２板バネ部材は、第２板バネ部材の第一の本体部の基端と、第２板バネ部材の第二の本体部の基端とが直交し、正面視で略Ｌ字状になるように形成されている第２板バネ部材の本体部を備えており、前記第１板バネ部材の第一の本体部と、前記第２板バネ部材の第一の本体部とがそれぞれ左右方向に延び、前記第１板バネ部材の第二の本体部と、前記第２板バネ部材の第二の本体部とがそれぞれ当該左右方向に直交する方向に延びる状態で、前記第１板バネ部材の第二の本体部の先端の裏側面と前記第２板バネ部材の第一の本体部の先端の正面側面、前記第１板バネ部材の第一の本体部の先端の裏側面と前記第２板バネ部材の第二の本体部の先端の正面側面をそれぞれ接合することによって前記第１板バネ部材と前記第２板バネ部材とが一体化されており、前記第１板バネ部材は、前記第１板バネ部材の第一の本体部側を基端とし、先端が前記第１板バネ部材の第一の本体部から第２板バネ部材の第一の本体部側に向かって延びる複数本の櫛歯を更に備えており、当該櫛歯の先端部は、第２板バネ部材の第一の本体部から離れる正面側方向に向かって段差を設けて途中から折り曲げられ、クリップ部として構成され、前記第２板バネ部材の第一の本体部は、前記第１板バネ部材のクリップ部の正面側において前記第１板バネ部材のクリップ部を左右に横切る形で配設され、非クリップ状態では、前記第１板バネ部材の第一の本体部と、前記第２板バネ部材の第一の本体部とがそれぞれ裏面側方向に向かって膨出するように湾曲し、前記第１板バネ部材の櫛歯先端部のクリップ部裏側面と、前記第２板バネ部材の第一の本体部の正面側面との間が所定間隔離れた状態で対峙し、前記左右一対のクリップの前記裏面側方向に向かって膨出するように湾曲している前記第１板バネ部材の第一の本体部及び前記第２板バネ部材の第一の本体部の中央部の裏面側を装着者の頭に当て、前記第１板バネ部材の第二の本体部及び前記第２板バネ部材の第二の本体部を前記装着者の頭の方向に向かって押すことによりクリップ状態となり、前記第１板バネ部材の第一の本体部及び前記第２板バネ部材の第一の本体部の各中央部が正面側方向に向けて膨出するように反転変形し、前記第１板バネ部材の櫛歯先端部のクリップ部と前記第２板バネ部材の第一の本体部との間に前記装着者の毛髪がクリップされ、これによって前記左右一対のクリップが前記装着者の毛髪に止着されるようにしたものである。【０００５】特許文献２に示されたはフェイスアップデバイスは、頭頂部付近の毛髪に固定する中央ヘアクリップ部１と、この中央ヘアクリップ部１から放射状に配設する４個の補助ヘアクリップ部５と、中央ヘアクリップ部１と補助ヘアクリップ部５との間をそれぞれ独立して連結するストレッチ部材７とから構成され、中央ヘアクリップ部１を頭頂部付近の毛髪に固定し、補助ヘアクリップ部５をストレッチ部材７の弾性収縮力に抗してそれぞれ引っ張った状態で前頭部、後頭部、あるいは側頭部付近の毛髪に固定するようにしたものである。
【先行技術文献】
【特許文献】
【０００６】
【特許文献１】特許第４５３６７７２号
【特許文献２】特開２０１３−４２８４９号
【考案の概要】
【考案が解決しようとする課題】
【０００７】特許文献第１の技術開示においては板バネ部材の第一の本体部の基端と、第１板バネ部材の第二の本体部の基端とが直交し、正面視で略Ｌ字状になるように形成されている第１板バネ部材と、第２板バネ部材の第一の本体部の基端と、第２板バネ部材の第二の本体部の基端とが直交し、正面視で略Ｌ字状になるように形成されている第２板バネ部材とから構成されるクリップを用いて、装着者の頭部の左右こめかみ部分に近い毛髪を挟持し、左右一対のクリップ同士を紐を用いて互いに後頭部側に引き寄せるようにしたもので、目尻周辺のしわを目立たなくすることができる。【０００８】しかしながら、この特許文献１に係る顔のしわ矯正具において、頭部の左右のこめかみ部分に近い毛髪を、左右一対のクリップ体によって挟持し紐によってクリップ同士を互いに後頭部側に引き寄せるようにしたものであるから、その牽引力は横方向へ引き寄せ合う抗力であり、目尻が横に引っ張られるに過ぎず、顔面全体、特に口角の下がり、頬のたるみ、顎から首にかけてのたるみなどを補整することはできない。【０００８】またこの特許文献１に係る顔のしわ矯正具において、上下２本の紐部が平行に配設された状態の左右一対のクリップでこめかみ部分に近い毛髪を止着するものであり、後頭部には固定されておらず、当然の事ながら人の頭部はカーブしており動きによりその紐部が容易にずれたり摺り落ちたりする。【０００９】特許文献２の開示技術においては、中央ヘアクリップ部をコアとして、放射状に４個の補助ヘアクリップ部を配設してあるので、ストレッチ部材によって、前頭部、後頭部、あるいは側頭部付近の毛髪を頭頂部に向けて少しの牽引力によって引っ張り上げることができ、それに伴って目尻周辺部だけでなく、フェイス全体、特に口角周辺のしわやたるみ、顎から首にかけてのたるみなどを補整することができる。【００１０】しかしながらこの特許文献２に係るフェイスアップデバイスにおいては、頭部五つものヘアクリップを装着しているのが一目瞭然である。【００１０】また、この特許文献２に係るフェイスアップデバイスにおいては、中央ヘアクリップから放射状に配置された四つの補助クリップの間に連結されたストレッチ部材は、長さ調整が不可能であり、当然のことながら人の頭部の大きさは千差万別であり、個人個人にフィットするのは難しい。
【問題を解決するための手段】
【００１１】本考案の目的は、上記従来品の問題を解決し、個人個人にジャストフィットする様長さ調節が可能で、簡単に装着出来、装着後は所定位置からずれ落ちること無く、引き寄せた状態を保持し顔面の全体的なたるみを引き上げ可能な、他人には装着している事を気付かれにくい、顔面たるみリフトアップ補助装着を提供することにある。
【００１２】上記目的を達成する為の本考案に係る、顔面たるみリフトアップ補助装置の構成を詳述すれば、請求項１に係る考案は、装着者の頭髪に装着し、装着者の顔のたるみを引き上げる顔面リフトアップ補助装置であって、頭頂部付近毛髪に留める中央ヘアクリップ部と、この中央ヘアクリップ部両側に長さ調整機能アジャスターを備えたリフトストラップ部が連結具により連結され、左右のもみあげ上部の毛髪を留める側面クリップ部がそのリフトストラップ部両端に配設されていることを特徴とする。
【００１３】請求項２に係る考案は、前記中央ヘアクリップ部から両側に連結する前記ストラップ部は、弾性を有する伸縮性のある素材である事を特徴とする。
【００１４】請求項３に係る考案は、前記リフトストラップ部には、その長さを調節し牽引力を調整出来る長さ調節機能アジャスターを備えたことを特徴とする。
【００１５】請求項４に係る考案は、前記中央ヘアクリップ部両端に備付けた連結具に、端側に側面ヘアクリップ部を配設した追加ストラップ部を長さ調整して追加出来る事を特徴とする。
【考案の効果】
【００１６】本考案に係る顔面たるみリフトアップ補助装置によれば、高額でリスクの伴う美容医療行為に頼らず、簡単に装着出来、個人個人にジャストフィットする長さに調節可能で、装着後は所定位置からずれ落ちること無く安定した装着感で使用出来る。中央ヘアクリップ部を中心として、リフトストラップ部両端に配設された側面ヘアクリップ部で左右もみあげ上部の毛髪を止着し、斜め上方向に皮膚が引き寄せられた状態が保持される事により、顔面皮膚が引き上げられ視覚的若返り効果が得られる。更にリフトストラップ部を追加する事により首元の皺やたるみも解消出来る。
【図面の簡単な説明】
【００１７】
【図１】本考案に係る、一実施形態を示す平面図である。
【図２】本考案に係る、一実施形態を示す底面図である。
【図３】本考案に係る、変形実施例におけるリフトストラップ部を追加した形態を示す底面図である。
【図４】本考案に係る、変形実施例における追加リフトストラップ部の拡大図である。
【図５】本考案に係る、ヘアクリップ部の拡大図である。
【図６】本考案に係る、装着状態の一例を示す後方斜視図である。
【考案を実施するための形態】
【００１８】本考案に係る顔面たるみリフトアップ補助装置を図面を基づき詳細に説明する。
【実施例１】
【００１９】図１は本考案に係る顔面たるみリフトアップ補助装置の一実施形態の平面図である。図２は本考案に係る顔面リフトアップ補助装置の実施例１の底面図である。図２において、符号１１は頭頂部付近毛髪を止着する中央ヘアクリップ部。符号１２は右および左のもみあげ上部毛髪を止着する側面ヘアクリップ部。符号１３はリフトストラップ部。符号１４は１３の長さ調整するためのアジャスター。符号１５は１１と１３を連結し、１４のアジャスターを機能するための連結具。図１において符号１６は１１の土台ベース部。１５を挟み縫製し１１が縫い留められている。符号１７は１２の土台ベース。１３と縫製により繋がれており１２が縫い留められている。図３において符号１８は追加ストラップ部。図４において、符号１９は追加リフトストラップ部１８に設けた凸ホック。２０ａ、２０ｂ、２０ｃは追加ストラップ部１８に設けた凹ホック。【００２０】図５は１１，１２のヘアクリップ部の拡大図である。図５において（ｄ）は、１１、１２の平面図である。図５において（ｅ）は、１１、１２の底面図である。ヘアクリップ部はバネ弾性を利用した櫛歯を有する角型状ヘアクリップで、尚このヘアクリップの構造自体は公知のウィッグ装着用クリップとほぼ同一であるので詳細な説明は省略する。【００２１】１１，１２のヘアクリップ部は、櫛歯の本数、形態にはこだわらず、所定位置の毛髪をしっかりと止着出来ればどの様な留め具であっても良いものとする。【００２２】符号１５の連結具はリングかんを用いたが、１６と１３が連結出来ればその形はこだわらず、四角、三角、楕円型等でも良いものとする。【００２３】符号１３のリフトストラップ部は、その素材は天然ゴム、合成ゴム、ビニール、ストレッチレース等、弾性伸縮性を有する素材で有れば良いものとする。またその各部取付け方法は各パーツが正しく機能されれば縫製にこだわらない。１６と１７のヘアクリップベース部は正しく機能されれば、素材や各パーツ部との取付け方法にはこだわらない。【００２４】本実施例１に係る顔面たるみリフトアップ補助装置を装着するには、図５（ｆ）を例に説明する。まず符号１１の中央ヘアクリップで装着者頭頂部付近の毛髪を挟持し留める。次に１２の側面ヘアクリップ部で左右のもみあげ上部の毛髪を挟持し留める。さらにリフトストラップ部１３に備えたアジャスター１４で長さ調節し、その牽引力が装着者にジャストフィットする用調整する。【００２５】そうすると、左右のリフトストラップ部に掛かった牽引力により、左右側面ヘアクリップ部は中央ヘアクリップ部に引き寄せられた状態となり保持される。その上で周囲の毛髪で顔面リフトアップ補助装置を隠す。【００２６】このように装着し、左右側面ヘアクリップ部が中央ヘアクリップ部に引き寄せられた状態で保持され、こめかみ上部の皮膚が斜め上方向に牽引されると、顔面のたるみが引き上げられる。顔面たるみリフトアップ補助装着は装着者頭髪内部に装着されているので、髪に隠れ他人には気付かれにくい。本実施例１に係る顔面たるみリフトアップ補助装置によれば、装置者の顔面皮膚が引上げられ、頬のたるみ、口角の下がりが目立たなくなり、しかもその牽引力は個人個人にジャストフィットする様調整可能で、装着後はしっかりと固定され、動きによりずれたりすることがなく、視覚的若返り効果が得られる。
【実施例２】
【００２７】本考案に係る顔面たるみリフトアップ補助装置を実施するための変形実施例を図面に基づき説明する。図３は本考案に係る、顔面たるみリフトアップ補助装置の実施例２の底面図である。実施例１との違いは中央ヘアクリップ部１１の両側の連結具１５にリフトストラップ部１８が追加されたことである。【００２８】図４は符号１８の追加リフトストラップ部の拡大図である。追加リフトストラップ部１８は、凸ホック１９、凹ホック２０ａ、凹ホック２０ｂ、凹ホック２０ｃ、が設けられており任意で取付け取り外しが可能である。【００２９】前記ホック１９は凸状、ホック２０ａ．２０ｂ．２０ｃは凹状であり、追加リフトストラップ部１８を中央ヘアクリップ部１１の両端の連結具１５に通し、凸ホック１９を、凹ホック２０ａ、もしくは凹ホック２０ｂ、もしくは凹ホック２０ｃに留め付け、追加リフトストラップ部１８の端に配設された側面クリップ部を任意のうなじ付近の毛髪に止着し使用する。追加リフトストラップ１８の長さは、凸ホック１９を、位置の違う凹ホック２０ａ、もしくは凹ホック２０ｂ、もしくは凹ホック２０ｃに留める事でその長さを調節し、装着者個人個人への適合を可能にした。図６（ｇ）は図面上、判り易い様、顔面たるみリフトアップ補助装着を装着している様子を示したが、実際は装着者頭髪内側に装着されているので上側の髪に隠れ、他人には気付かれにくい。【００３０】追加リフトストラップ１８は、顔面たるみリフトアップ補助装置実施例１の仕様では物足りない装着者には特に便宜である。追加リフトストラップ１８は必ずしも必要なものでなく、必要に応じて追加するものとする。
【産業上の利用可能性】
【００３１】本考案は、顔面たるみリフトアップに利用する。
【符号の説明】
【００３２】１、実施例１における、顔面たるみリフトアップ補助装置。２、実施例２における、顔面たるみリフトアップ補助装置。１１、中央ヘアクリップ部１２、側面ヘアクリップ部１３、リフトストラップ部１４、アジャスター１５、連結具１６、中央ヘアクリップベース部１７、側面ヘアクリップベース部１８、追加リフトストラップ部１９、凸ホック２０、凹ホック（ａ、ｂ、ｃ）２１、装着者２２、装着者毛髪